【事件の表示】
　特許第３３４４６２６号「開口部用額縁」の請求項１に係る特許に対する特許異議の申立てについて、次のとおり決定する。
【結　論】
　訂正を認める。
　特許第３３４４６２６号の請求項１に係る特許を維持する。
【理　由】
１．手続の経緯
　本件特許第３３４４６２６号に係る出願は、平成１１年４月２８日の出願であって、平成１４年８月３０日に特許の設定登録がなされ、その後、笹岡由美から特許異議の申立がなされ、取消理由が通知され、その指定期間内である平成１５年９月４日に訂正請求書が提出されたものである。
　
２．訂正の要旨
　訂正事項ａ：特許請求の範囲の請求項１の記載を、次のように訂正する。
「額縁枠と、補助枠とを備え、補助枠は、額縁枠の嵌合部と、軟質の隙間閉塞部材とを長手方向に備え、躯体開口部に取り付ける枠体の外周側に取り付けてあり、枠体は既存枠と既存外壁の開口部の周囲部を除去して露出させた躯体開口部に取り付けてあり、補助枠に額縁枠が嵌合固定してあり、額縁枠で枠体の躯体開口部への取り付け部と既存外壁の開口部側とを覆い、隙間閉塞部材が補助枠の内周側面と枠体の外周側面との間に位置して枠体に当接していることを特徴とする開口部用額縁。」
　訂正事項ｂ：明細書の段落【０００４】の「枠体は既存外壁の開口部側と既存枠を除去して露出させた躯体開口部に取り付けてあり、」を、「枠体は既存枠と既存外壁の開口部の周囲部を除去して露出させた躯体開口部に取り付けてあり、」と訂正する。
　訂正事項ｃ：明細書の段落【０００５】の「既存外壁の開口部を除去して躯体開口部を露出させ、」を、「既存外壁の開口部の周囲部を除去して躯体開口部を露出させ、」と訂正する。
　訂正事項ｄ：明細書６頁２８行の段落番号【０００７】、７頁９行の段落番号【０００８】をそれぞれ、【０００８】、【０００９】と訂正する。
　
３．訂正の適否
（１）訂正の目的の適否、新規事項の有無及び拡張・変更の存否
　上記訂正事項ａに係る訂正は、明りょうでない記載の釈明を目的とするものであり、願書に添付した明細書又は図面に記載した事項の範囲内のものであり、さらに、実質上特許請求の範囲を拡張し、又は変更するものではない。
　また、訂正事項ｂ、ｃに係る訂正は、訂正事項ａに関連してなされた明りょうでない記載の釈明に該当し、願書に添付した明細書又は図面に記載した事項の範囲内のものであり、さらに、実質上特許請求の範囲を拡張し、又は変更するものではない。
　さらに、訂正事項ｄに係る訂正は、段落番号の訂正であって、誤記の訂正に該当する。
　したがって、上記訂正は、特許法第１２０条の４第２項及び第３項で準用する特許法第１２６条第２項および第３項の規定に適合するので、当該訂正を認める。
　
４．異議の申立てについての判断
（１）申立ての理由の概要
　申立人笹岡由美は、証拠として甲第１号証（特開平１１−１１７６１３号公報）、甲第２号証（実公平５−３１１９２号公報）を提出して、本件請求項１に係る特許発明は、甲第１号証及び甲第２号証に記載された発明に基づいて、当業者が容易に発明をすることができたものであるから、特許法第２９条第２項の規定により特許を受けることができないものであり、本件の特許を取り消すべきであると主張している。
　
（２）本件訂正後発明
　本件訂正明細書の請求項１に係る発明は、訂正明細書の特許請求の範囲の請求項１に記載された下記の事項により特定されるとおりのものである（以下、「訂正後発明」という。）。
　額縁枠と、補助枠とを備え、補助枠は、額縁枠の嵌合部と、軟質の隙間閉塞部材とを長手方向に備え、躯体開口部に取り付ける枠体の外周側に取り付けてあり、枠体は既存枠と既存外壁の開口部の周囲部を除去して露出させた躯体開口部に取り付けてあり、補助枠に額縁枠が嵌合固定してあり、額縁枠で枠体の躯体開口部への取り付け部と既存外壁の開口部側とを覆い、隙間閉塞部材が補助枠の内周側面と枠体の外周側面との間に位置して枠体に当接していることを特徴とする開口部用額縁。
　
（３）甲各号証記載の発明
　甲第１号証には、改装サッシに関する、段落【００１４】「各カバー材３０は、幅方向の一端に設けられた凹状の係合部３０Ａが各見切枠材１１〜１３の室外端縁に設けられた鉤状部１１Ａ〜１３Ａに係合し、他端が窓枠２０の室外端縁に開口部Ａの面内方向に沿ったビス３１で固定され、これによって見切枠１０および窓枠２０の隙間が四周にわたって覆われ、同時に見切枠１０および窓枠２０の躯体Ｂ〜Ｄへの取り付け部分が隠蔽されるようになっている。」、【００１６】「また、建物の改装や窓枠２０の老朽化等により窓枠２０を取り替える場合には、図２（Ｂ）に示すように、カバー材３０を外した後に窓枠２０を躯体Ｂ〜Ｄから外し、新たな窓枠を躯体Ｂ〜Ｄにビス止めして再度カバー材３０を取り付ければよく、開口部Ａ周りの外壁材４０を壊したりシール材５０を切る必要はない。」、【００１７】「見切枠１０を取り外さずに窓枠２０のみを交換することにより、外壁材４０を壊したりシール材５０を切らずに窓枠２０を交換できる。」の記載及び図面を参照すると、「躯体へ取り付けられる見切枠と、幅方向の一端に設けられた係合部が見切枠に係合し他端が躯体へ取り付けられる窓枠の外周側に固定されるカバー材とを備え、新たな窓枠は、開口部周りの外壁材を壊したり見切枠を取り外さずにカバー材を外した後の既存の窓枠を除去して露出させた躯体に取り付けてあり、見切枠で新たな窓枠の躯体への取り付け部を覆っている改装サッシの縁部材」が記載されていると認められる。
　甲第２号証には、サッシ主体枠と額枠の組付け装置に関して、２欄１１〜１６行「４は前記の額枠Ｂの開口部周側主体枠Ａ側の端部に突出した周側部片で、この周側部片４の主体枠Ａ側面に嵌合溝５を設け、該嵌合溝５に気密材６を嵌着して主体枠Ａ方向に突設し、該気密材６の先端に当接する部片７を主体枠Ａの各枠２ａ，２ｂ，２ｃに設けてある。」、４欄７〜１１行「主体枠と額枠とを互いに組付け、他のねじによって主体枠の部片を圧接した後、前記の緩くねじ止めした部分を締め付けると両枠を固定的に組付けられ、しかも、両枠間の気密材によって水気密性が確実に保持され」の記載及び第１、２図を参照すると、「主体枠と額枠との間に弾性を有する気密材が位置している」ことが記載されていると認められる。
　
（４−２）対比・判断　
　訂正後発明と、甲第１号証に記載された発明とを比較すると、甲第１号証に記載された発明の「見切枠」、「既存の窓枠」、「新たな窓枠」、「カバー材」、「幅方向」、「係合部」、「躯体」、「改装サッシの縁部材」は、それぞれ、訂正後発明の「額縁枠」、「既存枠」、「枠体」、「補助枠」、「長手方向」、「嵌合部」、「躯体開口部」、「開口部用額縁」に相当するから、両者は、額縁枠と、補助枠とを備え、補助枠は、額縁枠の嵌合部を長手方向に備え、躯体開口部に取り付ける枠体の外周側に取り付けてあり、枠体は既存枠を除去して露出させた躯体開口部に取り付けてあり、補助枠に額縁枠が嵌合固定してあり、額縁枠で枠体の躯体開口部への取り付け部を覆っている開口部用額縁の点で一致し、下記の点で相違している。
　相違点１：枠体は、訂正後発明では、既存枠と既存外壁の開口部の周囲部を除去して露出させた躯体開口部に取り付けてあり、額縁枠で枠体の躯体開口部への取り付け部と既存外壁の開口部側とを覆うのに対し、甲第１号証に記載された発明では、開口部周りの外壁材を壊したり額縁枠を取り外さずに補助枠を外した後の既存枠を除去して露出させた躯体に取り付けてあり、額縁枠で枠体の躯体開口部への取り付け部を覆う点。　
　相違点２：訂正後発明では、補助枠が、軟質の隙間閉塞部材を長手方向に備え、隙間閉塞部材が補助枠の内周側面と枠体の外周側面との間に位置して枠体に当接しているのに対し、甲第１号証に記載された発明では、軟質の隙間閉塞部材を有していない点。
　ここで、甲第２号証をみると、甲第２号証には、サッシ主体枠と額枠の組付け装置に関して、「主体枠（訂正後発明の「枠体」に相当）と額枠（訂正後発明の「額縁」に相当）との間に弾性を有する気密材（訂正後発明の「隙間閉塞部材」に相当）が位置している」という、上記相違点２に係る訂正後発明に対応する事項が記載されているが、甲第２号証に記載された発明は、改装に関する発明ではなく、上記相違点１に係る訂正後発明に関する事項は、何ら記載されていない。そして、訂正後発明は、当該事項によって明細書記載の作用効果を奏するものである。
  したがって、訂正後発明は、甲第１、２号証に記載された発明に基づいて、当業者が容易に発明をすることができたものであるとはいえない。
　
５．むすび
　以上のとおりであるから、異議申立ての理由及び証拠によっては、本件訂正後発明の特許を取り消すことはできない。
　また、他に本件訂正後発明の特許を取り消すべき理由を発見しない。
　よって、結論のとおり決定する。
【異議決定日】
平成１５年１０月２８日（２００３．１０．２８）
【訂正の要旨】
審決（決定）の【理由】欄参照。
（５４）【発明の名称】
開口部用額縁
（５７）【特許請求の範囲】
　【請求項１】　　額縁枠と、補助枠とを備え、補助枠は、額縁枠の嵌合部と、軟質の隙間閉塞部材とを長手方向に備え、躯体開口部に取り付ける枠体の外周側に取り付けてあり、枠体は
既存枠と既存外壁の開口部の周囲部を
【発明の詳細な説明】
　【０００１】
　【発明の属する技術分野】
　本発明は、壁の開口に取り付ける窓枠やシャッタ枠等の枠体の外周に取り付ける開口部用額縁に関する。
　【０００２】
　【従来の技術】
　窓の改装時において、既存外壁の開口に新しいサッシ枠を取付けるときには、既存外壁の開口部を切除して躯体を露出させ、既存枠を取り外して、新しい枠（枠体）を取り付けることがあった。
　【０００３】
　【発明が解決しようとする課題】
　このような窓の改装では、枠体の周囲における既存外壁の切除部分や躯体との取り付け部分を外から見えないように隠す要求があった。また、枠体の外周から躯体側に雨水等の水が入らないようにする要求があった。そこで、本発明は、枠体の周囲における既存外壁の切削部分や躯体との取り付け部分を覆い隠すことができるとともに枠体側から雨水等の水が躯体側に侵入するのを防止できる開口部用額縁の提供を目的とする。
　【０００４】
　【課題を解決するための手段】
　請求項１に記載の発明は、額縁枠と、補助枠とを備え、補助枠は、額縁枠の嵌合部と、軟質の隙間閉塞部材とを長手方向に備え、躯体開口部に取り付ける枠体の外周側に取り付けてあり、枠体は
既存枠と既存外壁の開口部の周囲部を
　【０００５】
　この請求項１に記載の発明は、既存外壁の開口部に枠体を取り付ける場合には、既存外壁の開口部
の周囲部
　【０００６】
　【発明の実施の形態】
　以下に、添付図面を参照して、本発明の実施の形態を詳細に説明する。図１及び図２に示すように、本実施の形態にかかる開口部用額縁１は、出窓の枠体９の外周に設けられており、枠体９は、既存外壁２の開口部４に取り付けられている。枠体９は、上枠３、下枠５、左右の竪枠７とから構成されている。開口部用額縁１は、上枠３と左右の竪枠７の外周に取付けた補助枠１１と、補助枠１１に取付ける額縁枠１３と、軟質の隙間閉塞部材１０とを備えている。尚、左竪枠側と右縦枠側とは同じ構成のため、本実施の形態の説明では、一方の竪枠側の断面のみを図２に示して説明する。上枠３及び竪枠７には、ガラス６が設けられており、出窓の上部及び側部から採光を図ることができるようになっている。補助枠１１は、断面略Ｌ字形状に形成されており、上枠３及び竪枠７の長手方向に沿って設けられている。補助枠１１のＬ字の一側部１５は枠体９の取付け片１７に接着材１２により固定されている。接着材１２は両面テープであり、枠体９の取付け片１７の室外側表面と補助枠１１の一側部１５の室内側表面とを接着している。躯体１６には、枠体９の取り付け部側の面を樹脂製の防水テープ１８で覆っており、躯体１６の表面の止水が図られている。補助枠１１の他側部には、額縁枠１３を嵌合固定する嵌合部２０が設けられている。嵌合部２０には、係合部１９及び当接部２１が互いに間隔をあけて対向する位置に形成されており、この係合部１９と当接部２１とに額縁枠１３の係止片２３が係合して取付けられている。係合部１９は、当接部２１に対して斜めに開いており、係止片２３を導入し易くなっている。導入された係止片２３は、係合部１９に、係止片２３が嵌合して固定されている。額縁枠１３は、既存外壁の開口部側２６及び補助枠１１を覆っており、その内側に上述した係止片２３を突設させており、嵌合部２０に嵌合されている。この額縁枠１３は、その外周側に第１シール受け部２７と第２シール受け部２５とを備えており、２つのシール受け部２５、２７は、見込み方向に直列に並んでおり、第２シール受け部２５と第１シール受け部２７とは、肉薄部２９により切り離し可能に連結されている。図１に示す枠体９の取付け状態では、肉薄部２９により第２シール受け部２５と第１シール受け部２７を連結したままの状態で、第１シール受け部２７と外側壁面２ａとの間にバッカ３１及び充填シール材３３が介在されている。尚、肉薄部２９から第１シール受け部２７を取り外した場合には、図示していないが、第２シール受け部２５と外側壁面２ａとの間に同様にバッカ３１及び充填シール材３３が介在される。肉薄部２９は、第２シール受け部２５と、第１シール受け部２７とを切り離し可能に連結しており、本実施の形態では、型材に形成したＶ字形状の溝である。このように、溝を形成して肉厚を薄くしているので、この肉薄部２９から第１シール受け部２７を折り曲げることにより容易に取り外しできる。しかも、額縁枠１３に溝を形成するだけであるから、肉薄部２９の構成が簡易である。また、額縁枠１３は、その内側周囲部１３ａが、上述した補助枠１１の保持部４３を被っており、額縁枠１３と補助枠１１との間から躯体１６側に水が入らないようにしている。補助枠１１には、枠体９側に隙間閉塞部材１０が設けられており、補助枠１１と枠体９との間の隙間を塞いでいる。この隙間閉塞部材１０は、その基部１０ａが補助枠１１に形成されている断面略コ字形状の保持部４３に嵌合されており、先端部１０ｂが枠体９に当接している。間隙部材１０は充分に長い寸法であり、補助枠１１の位置が枠体９に対して多少ずれた位置にあっても先端部１０ｂが枠体９に当接できるようになっている。下枠５には、取付け片３５に水切り片３７が固定されている。この水切り片３７は、取付け片３５の裏面に両面接着テープ３９により、下枠５の取付け片３７の裏面に貼着してあり、更に水切り片３７の裏面は、樹脂製の防水テープ１８を介在させて躯体１６に取付けられている。
　【０００７】
　次に、本実施の形態にかかる開口部用額縁１の施工方法を説明する。この実施の形態では、出窓の改装時に、既設枠を取り除き、新設の枠体９を取付けるものである。まず、既設枠を既設外壁から取り除き、既存外壁２の開口部４の周囲部を切削して広げる。次に、枠体９の上枠３、左右の竪枠７の３方の外周に補助枠１１を位置決めして取付ける。補助枠１１の位置決めは、切除した既存外壁２の開口の大きさにより既存外壁２に対するシール受け部２７の位置が決まるので、シール受け部２７の位置により額縁枠１３を取付ける補助枠１１の設置位置を決める。また、額縁枠１３の位置を調整する必要がある場合にも、額縁枠１３を補助枠１１に嵌合する前に、補助枠１１の取り付け位置を調整するだけで容易に額縁枠１３の位置調整ができる。補助枠１１の保持部４３には隙間閉塞部材１０を取付け、隙間閉塞部材１０の先端部１０ｂを枠体９の室外側表面に当接させて、上枠３、左右の縦枠７と、補助枠１１との間を止水する。尚、額縁枠１３を補助枠１１に取り付ける前に、補助枠１１の取り付け位置を調整し、隙間閉塞部材１０と枠体９との当接位置を、予め調整する。位置決め後、補助枠１１は、その裏面に貼着された両面テープ１２により、取付け片１７に容易に仮固定できる。また、両面テープ１２により補助枠１１を仮止めしているので、位置の変更が容易にできる。一方、下枠５には、水切り片３７を取付ける。水切り片３７は、接着テープにより下枠５の取り付け片３５の裏面に貼着する。このように、枠体９に補助枠１１及び水切り片３７を取付けたものを、既存外壁２の開口部４に嵌め、枠体９の取付け片１７をねじにより躯体１６に固定する。次に、上枠３及び竪枠７に対応して設けた額縁枠１３を補助枠１１に取付ける。額縁枠１３の取付けは、嵌合部２０において補助枠１１の係合部１９に額縁枠１３の係止片２３を嵌合させ、当接片２１に係止片２３を当接させておこなう。従って、額縁枠１３の取付けが容易にできる。額縁枠１３は、取付け片１７及び補助枠１１及び壁の開口縁を覆って外から見えないようにしているので、枠体９の周囲部をモルタル仕上げする必要がない。額縁枠１３は、内側周囲部１３ａが保持部４３を被っており、室外側から補助枠１１と額縁枠１３との間を通って水が侵入するのを防止している。隙間閉塞部材１０は、軟質材であり基端部から先端部の長さを充分に長くしており、補助枠１１と枠体９との隙間が多少異なる場合でも先端部１０ａが枠体９に当接でき水密に保持することができる。一方、額縁１３の取付け時に、既存外壁２の厚みが厚いため、第１シール受け部２７が外壁面２ｂとの間にバッカ３１及びシール材３３を受けるための空間がほとんどない場合には、作業者は、第１シール受け部２７を肉薄部２９から折り曲げることにより、一方のシール受け部２７を取り外す。この取り外しは、既存外壁２の厚みに応じて、現場で容易にできる。従って、作業性がよい。次に、額縁１３の第１シール受け部２７又は第２シール受け部２５との間にバッカ３１を詰めたのち、シール材３３を充填する。これにより、額縁枠１３の外側周囲部と壁２との間を止水する。本実施の形態では、額縁枠１３が枠体９と既存外壁２との間の躯体開口部２８補助枠１１の取り付け部、この取り付け部にある枠体９の取付け片１７、既存外壁の開口部側２６及び補助枠１１を覆う構成であるから、枠体９の周囲をモルタル詰めし次に再塗工する必要がないので、施工が容易であるとともに意匠性が向上する。更に、額縁枠１３の外側周囲部では、額縁枠１３と外壁面２ａとの間をバッカ３１及びシール材３３でシールし、額縁枠１３の内側周囲部１３ａでは、隙間閉塞部材１０が補助枠１１と枠体９との間をシールしている。このように額縁枠１３の周囲全体をシールしているので、躯体１６に対する充分な止水を図ることができる。
　
【０００８】
　本発明は、上述した実施の形態に限らず、本発明の要旨を逸脱しない範囲で種々変形可能である。例えば、額縁枠１３は、上枠３と竪枠７との３方の枠にのみ設けることに限らず、下枠５にも設け、枠体９の四周全体に取付けるものであってよい。開口部用額縁１は、サッシ枠に限らず、シャッタ枠等の既存外壁の開口部に取り付けるものであればよく、特に制限されない。額縁枠１３の外側周囲部に設けるシール受け部は第１及び第２シール受け部２５、２７の複数個設けることに限らず、一つであってもよい。更に、シール受け部２５、２７を設けずに額縁枠１３の外側周囲部をモルタルで詰めてもよい。
　
【０００９】
　【発明の効果】
　請求項１に記載の発明によれば、枠体の改修時には、額縁枠を用いているので、開口部周囲をモルタル塗装する必要がなく、開口部用額縁の取付け作業が容易であり、施工工期を短くできる。また、額縁枠は、既存外壁の開口部側と躯体開口部とを額縁枠で覆うので、外観がよい。額縁枠は補助枠に設けた嵌合部に嵌合固定するから、額縁枠の取り付けが容易であるととともに、額縁枠の形状が限定されず、種々の形状の額縁枠を用いることができる。額縁枠の取り付け位置を変更したりずらしたりして、調整したい場合には、補助枠の位置を換えることにより容易に額縁枠の取り付け位置を調整できる。また、隙間閉塞部材を補助枠に設けているので、額縁枠の取り付け前に、補助枠の取り付け位置を変更することにより、隙間閉塞部材と枠体との当接位置を容易に調整できる。補助枠に設けた軟質の隙間閉塞部材は枠体に当接して枠体との間を塞ぎ、枠体の周囲から雨水等の水が躯体側に侵入するのを防止するとともに、この隙間閉塞部材は軟質材であるから隙間の寸法が多少異なる場合でも隙間に応じて弾性変形して、両者の間を塞ぎ止水できる。更に、枠体の長手方向に連続している補助枠を枠体の外周側に設けているので補助枠が防水壁となって枠体の周囲から躯体側へ水が侵入するのを防止できる。
【図面の簡単な説明】
　【図１】本発明の実施の形態にかかるサッシの縦断面図である。
　【図２】本発明の実施の形態にかかるサッシの一方の竪枠側の横断面図である。
　【符号の説明】
　１　開口部用額縁
　２　既存外壁
　４　開口部
　９　枠体
　１０　隙間閉塞部材
　１１　補助枠
　１３　額縁枠
　２０　嵌合部
　２６　既存外壁の開口部側